(57)【要約】  複数の作動状態を同時に維持するシステムおよび方法が提供される。この方法には、交信および遊休の情報を受信するように構成されている単一受信機機構を有しているユーザ機器により監視が実行されている下で共通チャネルを監視してアクティブセットのセルまたはセクタを評価することが含まれている。無線アクセス技術およびこの無線アクセス技術に関連付けられているプロトコルスタックにより復調が行われている下で前記単一受信機機構を用いたチャネルの復調を一つ以上の緊急警報の復調を含めて行うこともこの方法に含まれている。【選択図】図１
2013530572.tif 000002
【特許請求の範囲】
【請求項１】
共通チャネル（a common channel）を監視してアクティブセット（an active set）のセルまたはセクタを評価する、ここで、前記監視は、交信および遊休の情報（traffic and idle information）を受信するように構成されている単一受信機機構（a single receiver chain）を有しているユーザ機器により実行される、ことと、
前記単一受信機機構を用いて一つ以上の緊急警報の復調を含むチャネルの復調をする、ここで、前記復調は無線アクセス技術およびこの無線アクセス技術に関連付けられているプロトコルスタックにより行われる、ことと
を備える、同時作動を容易にする方法。
【請求項２】
前記アクティブセットに基づいて最も強いパイロットを選択することをさらに備える請求項１に記載の方法。
【請求項３】
交信の情報および遊休の情報が同じ周波数で受信される請求項１に記載の方法。
【請求項４】
前記チャネルが交信チャネル（a traffic channel）と共通チャネル（a common channel）とを備える請求項１に記載の方法。
【請求項５】
一つ以上の緊急警報が報知スロット（broadcast slots）で送信される請求項１に記載の方法。
【請求項６】
アクティブセットのセルまたはセクタを評価することが、アクティブセットのセルまたはセクタを評価してどのセルまたはセクタであれば警報の監視をすることができるのかを判断することを備える請求項１に記載の方法。
【請求項７】
アクティブセットのセルまたはセクタを評価することが、アクティブセットのセルまたはセクタを評価して商用移動体警報システム（commercial mobile alert system）の警報を指定された報知スロットで一つ以上監視したり受信したりするための用途に最適なセルまたはセクタを一個以上判断することからを備える請求項１に記載の方法。
【請求項８】
共通チャネルを監視してアクティブセットのセルまたはセクタを評価する、ここで前記監視は交信および遊休の情報を受信するように構成されている単一受信機機構を有しているユーザ機器により実行される、ことをコンピュータに行わせる第一組のコードと、
前記単一受信機機構を用いてチャネルを復調する、ここで前記復調は、一つ以上の緊急警報を復調することを含み、無線アクセス技術およびこの無線アクセス技術に関連付けられているプロトコルスタックにより行われる、ことをコンピュータに行わせる第二組のコードと
を具備するコンピュータ可読媒体
を備えるコンピュータプログラム製品。
【請求項９】
前記アクティブセットに基づいて最も強いパイロットを選択することをコンピュータに行わせる第三組のコードを更に備える請求項８に記載のコンピュータプログラム製品。
【請求項１０】
交信の情報および遊休の情報が同じ周波数で受信される請求項８に記載のコンピュータプログラム製品。
【請求項１１】
前記チャネルが交信チャネルと共通チャネルとから成っている請求項８に記載のコンピュータプログラム製品。
【請求項１２】
一つ以上の緊急警報が報知スロットで送信される請求項８に記載のコンピュータプログラム製品。
【請求項１３】
アクティブセットのセルまたはセクタを評価することが、アクティブセットのセルまたはセクタを評価してどのセルまたはセクタであれば警報の監視をすることができるのかを判断することを備える請求項８に記載のコンピュータプログラム製品。
【請求項１４】
アクティブセットのセルまたはセクタを評価することが、アクティブセットのセルまたはセクタを評価して商用移動体警報システムの警報を指定された報知スロットで一つ以上監視したり受信したりするための用途に最適なセルまたはセクタを一個以上判断することからを備える請求項８に記載のコンピュータプログラム製品。
【請求項１５】
共通チャネルを監視してアクティブセットのセルまたはセクタを評価する、ここで前記監視は交信および遊休の情報を受信するように構成されている単一受信機機構を有しているユーザ機器により実行される、手段と、
前記単一受信機機構を用いてチャネルを復調する、ここで前記復調は、一つ以上の緊急警報を復調することを含み、無線アクセス技術およびこの無線アクセス技術に関連付けられているプロトコルスタックにより行われる、手段と
を備える装置。
【請求項１６】
前記アクティブセットに基づいて最も強いパイロットを選択する手段をさらに備える請求項１５に記載の装置。
【請求項１７】
交信の情報および遊休の情報が同じ周波数で受信される請求項１５に記載の装置。
【請求項１８】
チャネルが交信チャネルと共通チャネルとを備える請求項１５に記載の装置。
【請求項１９】
一つ以上の緊急警報が報知スロットで送信される請求項１５に記載の装置。
【請求項２０】
アクティブセットのセルまたはセクタを評価することが、アクティブセットのセルまたはセクタを評価してどのセルまたはセクタであれば警報の監視をすることができるのかを判断することを備える請求項１５に記載の装置。
【請求項２１】
アクティブセットのセルまたはセクタを評価することが、アクティブセットのセルまたはセクタを評価して商用移動体警報システムの警報を指定された報知スロットで一つ以上監視したり受信したりするための用途に最適なセルまたはセクタを一個以上判断することを備える請求項１５に記載の装置。
【請求項２２】
共通チャネルを監視してアクティブセットのセルまたはセクタを評価し、ここで前記監視は交信および遊休の情報を受信するように構成されている単一受信機機構を有しているユーザ機器により実行される、
前記単一受信機機構を用いてチャネルを復調する、ここで前記復調は、一つ以上の緊急警報を復調することを含み、無線アクセス技術およびこの無線アクセス技術に関連付けられているプロトコルスタックにより行われる、
ように構成されている受信機システム
を備える装置。
【請求項２３】
前記アクティブセットに基づいて最も強いパイロットを選択するように前記受信機システムがさらに構成されている請求項２２に記載の装置。
【請求項２４】
交信の情報および遊休の情報を同じ周波数で受信するように前記受信機システムがさらに構成されている請求項２２に記載の装置。
【請求項２５】
前記チャネルが交信チャネルと共通チャネルとを備える請求項２２に記載の装置。
【請求項２６】
一つ以上の緊急警報が報知スロットで送信される請求項２２に記載の装置。
【請求項２７】
アクティブセットのセルまたはセクタを評価することは、アクティブセットのセルまたはセクタを評価してどのセルまたはセクタであれば警報の監視をすることができるのかを判断することを備える請求項２２に記載の装置。
【請求項２８】
アクティブセットのセルまたはセクタを評価することは、アクティブセットのセルまたはセクタを評価して商用移動体警報システムの警報を指定された報知スロットで一つ以上監視したり受信したりするための用途に最適なセルまたはセクタを一個以上判断することを備える請求項２２に記載の装置。
【請求項２９】
第一受信機機構により交信の情報を受信することと、
第二受信機機構により遊休の情報を受信する、ここで前記第一受信機機構および第二受信機機構はユーザ機器の単一受信機に組み込まれ独立した探索とセットの維持の少なくとも一方を実行する、ことと、
チャネルを復調する、ここで前記復調は、無線アクセス技術およびこの無線アクセス技術に関連付けられているプロトコルスタックにより行われる、ことと
を備える、同時作動を容易にする方法。
【請求項３０】
交信の情報および遊休の情報が同じ周波数で受信される請求項２９に記載の方法。
【請求項３１】
前記チャネルが交信チャネルと共通チャネルとを備える請求項２９に記載の方法。
【請求項３２】
前記復調することは、報知スロットで送信される一つ以上の緊急警報を復調することを含む請求項２９に記載の装置。
【請求項３３】
第一受信機機構により交信の情報を受信することをコンピュータに行わせる第一組のコードと、
第二受信機機構により遊休の情報を受信する、ここで前記第一受信機機構および前記第二受信機機構がユーザ機器の単一受信機に組み込まれて独立した探索とセットの維持の少なくとも一方を実施する、ことをコンピュータに行わせる第二組のコードと、
チャネルを復調する、ここで前記復調は無線アクセス技術およびこの無線アクセス技術に関連付けられているプロトコルスタックにより行われる、ことをコンピュータに行わせる第三組のコードと
を具備するコンピュータ可読媒体
を備えるコンピュータプログラム製品。
【請求項３４】
交信の情報および遊休の情報が同じ周波数で受信される請求項３３に記載のコンピュータプログラム製品。
【請求項３５】
前記チャネルが交信チャネルと共通チャネルとを備える請求項３３に記載のコンピュータプログラム製品。
【請求項３６】
前記復調することは、報知スロットで送信される一つ以上の緊急警報を復調することを含む請求項３３に記載のコンピュータプログラム製品。
【請求項３７】
第一受信機機構により交信の情報を受信する手段と
第二受信機機構により遊休の情報を受信する、ここで前記第一受信機機構および前記第二受信機機構がユーザ機器の単一受信機に組み込まれ独立した探索とセットの維持の少なくとも一方を実施する、手段と、
チャネルを復調する、ここで前記復調は、無線アクセス技術およびこの無線アクセス技術に関連付けられているプロトコルスタックにより行われる、手段と
を備える装置。
【請求項３８】
交信の情報および遊休の情報が同じ周波数で受信される請求項３７に記載の装置。
【請求項３９】
チャネルが交信チャネルと共通チャネルとを備える請求項３７に記載の装置。
【請求項４０】
前記復調することは、報知スロットで送信される一つ以上の緊急警報を復調することを含む請求項３７に記載の装置。
【請求項４１】
第一受信機機構により交信の情報を受信し、
第二受信機機構により遊休の情報を受信し、ここで前記第一受信機機構および前記第二受信機機構はユーザ機器の単一受信機に組み込まれ独立した探索とセットの維持の少なくとも一方を実施する、
チャネルを復調する、ここで前記復調は無線アクセス技術およびこの無線アクセス技術に関連付けられているプロトコルスタックにより行われる、
ように構成されている受信機システム
を備える装置。
【請求項４２】
交信の情報および遊休の情報が同じ周波数で受信される請求項４１に記載の装置。
【請求項４３】
前記チャネルが交信チャネルと共通チャネルとを備える請求項４１に記載の装置。
【請求項４４】
前記復調することは、報知スロットで送信される一つ以上の緊急警報を復調することを備える請求項４１に記載の装置。
【請求項４５】
第一セルに関する交信または第一遊休の情報を第一受信機機構によって受信することと、
第二セルに関する第二遊休情報を第二受信機機構によって受信する、ここで前記第一セルおよび前記第二セルはマクロネットワークかフェムトセルの少なくとも一方に含まれている、ことと
前記第一セルおよび前記第二セルからチャネルを復調する、ここで、前記復調は無線アクセス技術およびこの無線アクセス技術に関連付けられているプロトコルスタックにより行われる、ことと
を備える、
ハンドインまたはハンドアウトの最中に同時稼働遊休動作（simultaneous active and idle operations）または同時遊休遊休動作（simultaneous idle and idle operations）を容易にする方法。
【請求項４６】
ハンドインが行われているユーザ機器の受信機に前記第一受信機機構および前記第二受信機機構が含まれている請求項４５に記載の方法。
【請求項４７】
前記第一セルからの交信チャネルおよび前記第二セルからの共通チャネル、または前記第一セルからの共通チャネルおよび前記第二セルからの共通チャネルの少なくとも一方を前記チャネルが備える請求項４５に記載の方法。
【請求項４８】
前記ハンドインが前記マクロネットワークから前記フェムトセルへ、であるか、前記ハンドアウトが前記フェムトセルから前記マクロセルへ、であるか、の少なくとも一方である請求項４５に記載の方法。
【請求項４９】
第一セルに関する交信または第一遊休の情報を第一受信機機構で受信することをコンピュータに行わせる第一組のコードと、
第二セルに関する第二遊休の情報を第二受信機機構で受信すること、ここで、前記第一セルおよび前記第二セルがマクロネットワークかフェムトセルの少なくとも一方に含まれている、をコンピュータに行わせる第二組のコードと、
前記第一セルおよび前記第二セルからチャネルを復調すること、ここで前記復調は、無線アクセス技術およびこの無線アクセス技術に関連付けられているプロトコルスタックにより行われる、をコンピュータに行わせる第三組のコードと
を具備するコンピュータ可読媒体
を備えるコンピュータプログラム製品。
【請求項５０】
前記第一受信機機構および前記第二受信機機構がハンドインを行うユーザ機器の受信機に組み込まれていて、ハンドインまたはハンドアウトの最中に同時稼働遊休動作または同時遊休遊休動作が実行される請求項４９に記載のコンピュータプログラム製品。
【請求項５１】
前記第一セルからの交信チャネルおよび前記第二セルからの共通チャネル、または前記第一セルからの共通チャネルおよび前記第二セルからの共通チャネルの少なくとも一方で前記チャネルが構成される請求項４９に記載のコンピュータプログラム製品。
【請求項５２】
前記ハンドインが前記マクロネットワークから前記フェムトセルへ、であるか、前記ハンドアウトが前記フェムトセルから前記マクロセルへ、であるかの少なくとも一方であり、同時稼働遊休動作または同時遊休遊休動作がハンドインまたはハンドアウトの最中に実行される請求項４９に記載の方法。
【請求項５３】
第一セルに関する交信または第一遊休の情報を第一受信機機構で受信する手段と、
第二セルに関する第二遊休情報を第二受信機機構で受信する、ここで前記第一セルおよび前記第二セルはマクロネットワークかフェムトセルの少なくともいずれか一方に含まれる、手段と、
前記第一セルおよび前記第二セルからチャネルを復調する、ここで前記復調は、無線アクセス技術およびこの無線アクセス技術に関連付けられているプロトコルスタックにより行われる、手段と
を備える装置。
【請求項５４】
前記第一受信機機構および前記第二受信機機構がハンドインを行うユーザ機器の受信機に組み込まれていて、ハンドインまたはハンドアウトの最中に同時稼働遊休動作または同時遊休遊休動作が実行される請求項５３に記載の装置。
【請求項５５】
前記第一セルからの交信チャネルおよび前記第二セルからの共通チャネル、または前記第一セルからの共通チャネルおよび前記第二セルからの共通チャネルの少なくとも一方で前記チャネルが構成されている請求項５３に記載の装置。
【請求項５６】
前記ハンドインが前記マクロネットワークから前記フェムトセルへ、であるか、前記ハンドアウトが前記フェムトセルから前記マクロセルへ、であるか、の少なくともいずれか一方であり、同時稼働遊休動作または同時遊休遊休動作がハンドインまたはハンドアウトの最中に実行される請求項５３に記載の装置。
【請求項５７】
第一セルに関する交信または第一遊休の情報を第一受信機機構で受信し、
第二セルに関する第二遊休情報を第二受信機機構で受信し、ここで、前記第一セルおよび前記第二セルはマクロネットワークかフェムトセルの少なくとも一方に含まれる、
前記第一セルおよび前記第二セルからチャネルを復調する、ここで前記復調は無線アクセス技術およびこの無線アクセス技術に関連付けられているプロトコルスタックにより行われる、
ように構成される受信機システム
を備える装置。
【請求項５８】
前記第一受信機機構および前記第二受信機機構がハンドインを行うユーザ機器の受信機に組み込まれていて、ハンドインまたはハンドアウトの最中に同時稼働遊休動作または同時遊休遊休動作が実行される請求項５７に記載の装置。
【請求項５９】
前記第一セルからの交信チャネルおよび前記第二セルからの共通チャネル、または前記第一セルからの共通チャネルおよび前記第二セルからの共通チャネルの少なくとも一方を前記チャネルが備える請求項５７に記載の装置。
【請求項６０】
前記ハンドインが前記マクロネットワークから前記フェムトセルへ、であるか、前記ハンドアウトが前記フェムトセルから前記マクロセルへ、であるか、の少なくともいずれか一方であり、同時稼働遊休動作または同時遊休遊休動作がハンドインまたはハンドアウトの最中に実行される請求項５７に記載の装置。
【発明の詳細な説明】
【優先権の主張】
【０００１】
本願は、２０１０年４月１６日に出願された「同時交信−遊休または遊休−遊休復調を可能にするシステム、装置、方法（SYSTEMS, APPARATUS AND METHODS TO FACILITATE SIMULTANEOUS TRAFFIC-IDLE OR IDLE-IDLE DEMODULATION）」と言う名称の仮出願番号６１／３２５，１６５の利益を主張する。この仮出願はこの言及により全体的にここに含まれる。
【技術分野】
【０００２】
以下の記述は、無線通信に概ね関連しているが、同時交信−遊休または遊休−遊休復調を可能にする無線通信システムに特に関連している。
【背景技術】
【０００３】
無線通信システムは、音声、データ、その他のような様々な種類の通信内容を提供するために広く展開されている。これらのシステムには、利用可能なシステムリソース（例えば、帯域幅、送信パワー（transmit power））を共有することによって多数のユーザとの通信をサポートすることのできる多元接続システム（multiple-access systems）がある。そのような多元接続システムの例には、符号分割多元接続（ＣＤＭＡ：code division multiple access）システム、時分割多元接続（ＴＤＭＡ：time division multiple access）システム、周波数多重分割（ＦＤＭＡ：frequency division multiple access）システム、３ＧＰＰ長期的高度化（ＬＴＥ：Long Term Evolution）システム、マイクロ波アクセスのための世界的相互運用性（ＷｉＭＡＸ：worldwide interoperability for microwave access）、直交周波数分割多元接続（ＯＦＤＭＡ：orthogonal frequency division multiple access）システム、その他が含まれる。 
無線多元接続通信システム（wireless multiple-access communication system）は複数台の無線端末のめたに通信を同時にサポートすることができる。個々の端末は、順方向および逆方向の両リンクによる送信で一台以上の基地局と通信をする。順方向リンク（または下りリンク）とは基地局から端末に向かう通信リンクを言い、逆方向リンク（または上りリンク）とは端末から基地局に向かう通信リンクを言う。この通信リンクは、シングルイン シングルアウト（single-in-single-out）、マルチイン シングルアウト（multiple-in-signal-out）、マルチイン マルチアウト（ＭＩＭＯ）（multiple-in-multiple-out (MIMO)）のいずれかのシステムにより確立される。
【０００４】
ＭＩＭＯシステムは、複数（ＮＴ）本の送信アンテナと複数（ＮＲ）本の受信アンテナとをデータ送信に採用している。ＮＴ本の送信アンテナとＮＲ本の受信アンテナとにより形成されるＭＩＭＯチャネルは空間チャネルとも呼ばれているＮＳ本の独立チャネルに分解されるが、ここでＮＳ≦min{ＮＴ、ＮＲ}である。ＮＳ本の独立チャネルの各々は次元に対応している。ＭＩＭＯシステムは、複数本の送受信アンテナにより生成される付加的な次元数を活用すれば改善された性能（高い処理能力と大きな信頼性）を提供することができる。
【０００５】
以上の通りであるにも拘らず、様々な無線通信システムにおけるユーザ機器（ＵＥｓ）の現在の枠組みではＣＤＭＡ  １ｘを含めて無線アクセス技術（ＲＡＴ：radio access technology）はどのような時でも一つの状態だけしかとることができない。しかし、この手法は効率が悪いだけでなく、場合によっては緊急警報サービスをＵＥに提供することができないこともあり得る。
【０００６】
例えば、合衆国のキャリアは、ショートメッセージサービス（ＳＭＳ：short message service）を共通チャネルで一斉配信して緊急警報を加入者に送信しているので、どのＵＥｓも交信または稼働の状態（a traffic/active state）にある間は緊急警報を受信することができない。そのようなわけで現在のＵＥｓを使用している加入者は通話中では緊急警報を受信することができない。
【０００７】
別の例として稼働モードフェムトセルハンドインではマクロネットワークからのハンドイン手続の際にフェムトセルの共通チャネル上でフェムトセル関連のメッセージをＵＥが復調しなければならないのでマクロネットワークでの交信機能が中断してしまう恐れがある。その結果、マクロネットワーク上で通話をしていてプロトコルスタックによりどのような時にも一つの状態しかとらない現在のパラダイムを用いているＵＥでは、フェムトセルメッセージ（例えば、アクセスポイントパイロット情報メッセージ（ＡＰＰＩＭｓ：access point pilot information messages）、アクセスポイント識別メッセージ（ＡＰＩＤＭｓ：access point identification messages）、アクセスポイント識別テキストメッセージ（ＡＰＩＤＴＭｓ：ccess point identification text messages））を復調するためにフェムトセルへの同調をＵＥが開始するとＵＥの進行中の通話が中断されてしまう。
【０００８】
別の例としてフェムトセル遊休モードハンドインでは、マクロネットワークからのハンドイン手続の際にフェムトセルの共通チャネル上でフェムトセル関連のメッセージをＵＥが復調しなければならないのでマクロネットワークでの遊休モードの作動状態が中断してしまう可能性がある。その結果、マクロネットワーク上で遊休モードで作動していてプロトコルスタックによりどのような時にも一つの状態しかとらない現在のパラダイムを用いているＵＥでは、フェムトセルメッセージを復調するためにフェムトセルへの同調をＵＥが実行するとＵＥの遊休状態が中断されてしまう。
【０００９】
そのようなわけで、マクロネットワーク上での交信や稼働の作動状態または遊休モードの作動状態を中断させることなく同時または並行交信−遊休または遊休−遊休復調（simultaneous or concurrent traffic-idle or idle-idle demodulation）を稼働モードハンドインや遊休モードハンドインのために可能にするシステム、装置、方法が望まれている。 
【発明の概要】
【００１０】
様々な実施態様の基本的な理解が得られるように一種類以上の実施態様の概要を以下に簡単に述べる。以下に示す概要は、考えることのできる全ての態様に関する広範な概観でもなければ、全態様の鍵となる重要な要素を特定するものでもなく、全ての態様またはいずれかの態様の範囲を叙述するものでもない。この概要の唯一の目的は、後に提示する詳細な説明の序幕として一種類以上の態様の観念を簡単な形態で提供することである。
【００１１】
一種類以上の実施態様とこれらに対応する開示にしたがって同時または並行交信−遊休または遊休−遊休復調との関連で様々な態様が記載される。
【００１２】
幾つかの態様では方法が提供される。この方法は、交信や遊休の情報（traffic and idle information）を受信するように構成されている単一受信機機構を有しているユーザ機器により共通チャネルを監視してアクティブセット（an active set）のセルやセクタを評価することや、前記単一受信機機構を用いて一つ以上の緊急警報の復調を含むチャネルの復調をすることから成っている。
【００１３】
幾つかの態様では、コンピュータ可読媒体を有するコンピュータプログラム製品が提供される。コンピュータプログラム製品は、交信や遊休の情報を受信するように構成されている単一受信機機構を有しているユーザ機器により共通チャネルを監視してアクティブセットのセルやセクタを評価することをコンピュータに行わせる第一組のコードと、一つ以上の緊急警報の復調を含む、前記単一受信機機構を用いたチャネルの復調をコンピュータに行わせる第二組のコードとを有している。
【００１４】
幾つかの態様では装置が提供される。この装置には、交信や遊休の情報を受信するように構成されている単一受信機機構を有しているユーザ機器により共通チャネルを監視してアクティブセットのセルやセクタを評価する手段と、前記単一受信機機構を用いて一つ以上の緊急警報の復調を含むチャネルの復調をする手段とを具備している装置が含まれている。
【００１５】
幾つかの態様では別の装置が提供される。この装置は、交信や遊休の情報を受信するように構成されている単一受信機機構を有しているユーザ機器により行われる共通チャネルの監視を通じてアクティブセットのセルやセクタを評価したり、前記単一受信機機構を用いて一つ以上の緊急警報の復調を含むチャネルの復調をしたりするように構成されている受信機システムを具備している。
【００１６】
別の態様では別の方法が提供される。この方法には、第一受信機機構および第二受信機機構がユーザ機器の単一受信機に含まれていて独自の探索またはセットの維持の少なくとも一方を行う下で交信情報を第一受信機機構で受信することや遊休情報を第二受信機機構で受信することが含まれているだけでなく、無線アクセス技術およびこの無線アクセス技術に関連付けられているプロトコルスタックにより復調が行われている下でチャネルを復調することが含まれている。
【００１７】
別の態様では、コンピュータ可読媒体を有している別のコンピュータプログラム製品は、第一受信機機構で交信情報を受信することをコンピュータに行わせる第一組のコードと第二受信機機構で遊休情報を受信することをコンピュータに行わせる第二組のコードとを第一受信機機構および第二受信機機構がユーザ機器の単一受信機に組み込まれていて独自の探索またはセットの維持の少なくとも一方を行う下で有しているだけでなく、無線アクセス技術およびこの無線アクセス技術に関連付けられているプロトコルスタックにより復調が行われている下でコンピュータにチャネルを復調させる第三組のコードをも有している。
【００１８】
幾つかの態様では別の装置が、第一受信機機構で交信情報を受信する手段と第二受信機機構で遊休情報を受信する手段とを第一受信機機構および第二受信機機構がユーザ機器の単一受信機に組み込まれていて独自の探索またはセットの維持の少なくとも一方を行う下で有しているだけでなく、無線アクセス技術およびこの無線アクセス技術に関連付けられているプロトコルスタックにより復調が行われている下でチャネルを復調する手段をも有している。
【００１９】
さらに別の態様では別の方法が提供される。この装置には、第一受信機機構および第二受信機機構がユーザ機器の単一受信機に組み込まれていて独自の探索またはセットの維持の少なくとも一方を行う下で第一受信機機構による交信情報の受信や第二受信機機構による遊休情報の受信を行ったり、無線アクセス技術およびこの無線アクセス技術に関連付けられているプロトコルスタックにより復調が行われている下でチャネルを復調したりするように構成されている受信機システムが設けられている。
【００２０】
別の実施態様では別の方法が提供される。この方法には、第一セルの交信や第一遊休に関する情報の第一受信機機構による受信や第二セルの第二遊休に関する情報の第二受信機機構による受信を第一セルおよび第二セルがマクロネットワークまたはフェムトセルの少なくとも一方に含まれている下で行ったり、無線アクセス技術およびこの無線アクセス技術に関連付けられているプロトコルスタックにより復調が行われている下で第一セルおよび第二セルからチャネルを復調したりすることが含まれている。
【００２１】
別の実施態様では、コンピュータ可読媒体を含む別のコンピュータプログラム製品が提供される。このコンピュータプログラム製品は、第一セルの交信や第一遊休に関する情報の第一受信機機構による受信をコンピュータに行わせる第一組のコードと、第二セルの第二遊休に関する情報の第二受信機機構による受信をコンピュータに行わせる第二組のコードとを第一セルおよび第二セルがマクロネットワークまたはフェムトセルの少なくとも一方に含まれている下で有しているだけでなく、無線アクセス技術およびこの無線アクセス技術に関連付けられているプロトコルスタックにより復調が行われている下で第一セルおよび第二セルからチャネルを復調することをコンピュータに行わせる第三組のコードをも有している。
【００２２】
別の実施態様では別の装置が提供される。この装置には、マクロネットワークまたはフェムトセルの少なくとも一方に第一セルおよび第二セルが含まれている下で第一セルの交信や第一遊休に関する情報を第一受信機機構により受信する手段や第二セルの第二遊休に関する情報を第二受信機機構により受信する手段が設けられているだけでなく、無線アクセス技術およびこの無線アクセス技術に関連付けられているプロトコルスタックにより復調が行われている下で第一セルおよび第二セルからチャネルを復調する手段が設けられている。
【００２３】
別の実施態様では別の装置が提供される。この装置は、第一セルおよび第二セルがマクロネットワークまたはフェムトセルの少なくとも一方に含まれている下で第一セルの交信または第一遊休に関する情報の第一受信機機構による受信や第二セルの第二遊休に関する情報の第二受信機機構による受信をしたり、無線アクセス技術および無線アクセス技術に関連しているプロトコルスタックにより復調が行われている下で第一セルおよび第二セルからチャネルを復調したりするように構成されている受信機システムを具備している。
【００２４】
以下に詳述されていて特許請求の範囲に特に指摘されている諸要件を以上に述べた目的や関連した目的を達成するためにどの実施態様も具備している。以下の記述や添付図面には一種類以上の態様の特定の例示的諸特徴が詳しく示されている。しかし、これらの諸特徴は種々様々な態様の原理を採用する色々な方法の幾つかを示しているに過ぎず、以下の記述はそのような全ての態様とその均等物を含むことが意図されている。
【図面の簡単な説明】
【００２５】
この開示の特徴、本質、利点は、類似した要素に類似した参照符号が付けてある添付図面を参照して以下に示す詳細な説明を読めば明らかになる。
【図１】図１は、ここに記載する実施態様に基づく多元接続無線通信システムの例である。
【図２】図２は、ここに記載する諸実施態様をここに記載する一式の様々な態様にしたがって採用することのできる典型的な無線通信システムの例である。
【図３】図３は、ここに記載する実施態様にしたがって復調を可能にするためにフェムトノードが一個以上展開されている典型的な無線通信システムの例である。
【図４】図４は、ここに記載する実施態様にしたがって復調を可能にする無線通信システムの典型的な有効範囲図の例である。
【図５】図５は、ここに記載する実施態様にしたがっている通信システムのブロック図の例である。
【図６】図６は、ここに記載する諸実施態様にしたがって復調を可能にする諸方法の諸実施態様の流れ図である。
【図７】図７は、ここに記載する諸実施態様にしたがって復調を可能にする諸方法の諸実施態様の流れ図である。
【図８】図８は、ここに記載する諸実施態様にしたがって復調を可能にする諸方法の諸実施態様の流れ図である。
【図９】図９は、ここに記載する様々な態様にしたがって復調を可能にする無線通信システムの典型的なブロック図の例である。
【図１０】図１０は、ここに記載する様々な態様にしたがって復調を可能にする典型的なシステムのブロック図の典型例である。
【図１１】図１１は、ここに記載する様々な態様にしたがって復調を可能にする典型的なシステムのブロック図の典型例である。
【図１２】図１２は、ここに記載する様々な態様にしたがって復調を可能にする典型的なシステムのブロック図の典型例である。
【発明を実施するための形態】
【００２６】
類似した要素を示すために類似した参照符号が全体にわたって使用されている添付図面を参照して様々な実施態様をこれから説明する。一種類以上の態様を完全に理解することができるように以下には説明の目的で特定の詳細が数多く記載されている。しかし、このような詳細がなくても諸態様を実施することができることは明らかである。別の諸例では、一種類以上の実施態様の記載を容易にするために公知の構造や装置がブロック図の形式で示されている。
【００２７】
さらに、本願に用いられている用語「コンポーネント（component）」、「モジュール（module）」、「システム（system）」、その他には、ハードウェア、ファームウェア、ハードウェアとソフトウェアの組み合わせ、ソフトウェア、実行中のソフトウェアに限定される訳ではないがこれらのようなコンピュータ関連エンティティが含まれることが意図されている。例えばコンポーネントは、プロセッサが実行しているプロセス、プロセッサ、オブジェクト、実行ファイル、実行スレッド、プログラム、コンピュータの全てまたはいずれかで有り得るがこれらに限定される訳ではない。実例として、計算装置が実行しているアプリケーションと計算装置はどちらもコンポーネントである。実行中のプロセスおよびスレッドの両者または一方の中に一個以上のコンポーネントが存在することができ、あるコンポーネントが一台のコンピュータに局在していたり二台以上のコンピュータに分散していたりすることができる。その上に、様々なデータ構造が格納されている様々なコンピュータ可読媒体からこれらのコンポーネントを実行することができる。どのコンポーネントも、例えば、インターネットのようなネットワークや局所システムや分散システムのコンポーネントと相互作用をしているあるコンポーネントからのデータのように一個以上のデータパケットを有するシグナルにしたがうような局所プロセスおよび遠隔プロセスの両者または一方によりシグナルを通じて別のシステムと通信をすることができる。
【００２８】
ここに記載する技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）のように様々な無線通信システムに使用することができる。用語「システム」と「ネットワーク」はしばしば交換可能に用いられている。ＣＤＭＡシステムは、ユニバーサル地上無線アクセス（ＵＴＲＡ：Universal Terrestrial Radio Access）、ＣＤＭＡ８０２０、その他のような無線技術を実行することができる。ＵＴＲＡには、広帯域符号分割多元接続（Ｗ−ＣＤＭＡ：Wideband Code Division Multiple Access）やＣＤＭＡの他の変種が含まれる。ＣＤＭＡ８０２０はＩＳ−８０２０、ＩＳ−９５、ＩＳ−８５６の諸規格を取り扱っている。ＯＦＤＭＡシステムは、進化したＵＴＲＡ（Ｅ−ＵＴＲＡ）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、その他のような無線技術を実行することができる。ＵＴＲＡおよびＥ−ＵＴＲＡは、ユニバーサルモバイル通信システム（ＵＭＴＳ：Universal Mobile Telecommunications System）の一部である。３ＧＰＰ長期的高度化（ＬＴＥ：Long Term Evolution）の発表によりＯＦＤＭＡを下りリンクにＳＣ−ＦＤＭＡを上りリンクにそれぞれ採用しているＥ−ＵＴＲＡを用いたＵＭＴＳが公開された。ＵＴＲＡ、Ｅ−ＵＴＲＡ、ＵＭＴＳ、ＬＴＥ、ＧＳＭ（登録商標）は、「第３世代パートナーシッププロジェクト（3rd Generation Partnership Project）」（３ＧＰＰ）と言う名称の組織が公開している文書に記載されている。また、ＣＤＭＡ８０２０およびＵＭＢは、「第３世代パートナーシッププロジェクト２（3rd Generation Partnership Project 2）」（３ＧＰＰ２）と言う名称の組織が公開している文書に記載されている。さらに、これらの無線通信システムには、対になってもいなければ認可されてもいない周波数範囲（unpai
red unlicensed spectrums）をしばしば使用するピアツーピア（peer-to-peer）（例えば、ユーザ機器とユーザ機器と）の臨時ネットワークシステム、８０２．ｘｘ無線ラン、ブルートゥース（ＢＬＵＥＴＯＯＴＨ（登録商標））、その他の短距離または長距離の無線通信技術も付加的に含まれている。
【００２９】
単一搬送波周波数分割多元接続（ＳＣ−ＦＤＭＡ）は単一搬送波変調（single carrier modulation）や周波数領域等化（frequency domain equalization）を使用する。ＳＣ−ＦＤＭＡは、性能や全体的な複雑さがＯＦＤＭＡシステムに類似している。ＳＣ−ＦＤＭＡシグナルは、本来的に単一搬送波構造なのでピーク対平均電力比（ＰＡＰＲ：peak-to-average power ratio）が低い。低いＰＡＰＲが送信電力効率（transmit power efficiency）の点でＵＥｓに非常に役立つ場合には、ＳＣ−ＦＤＭＡが、例えば、上りリンクの通信に用いられる。したがってＳＣ−ＦＤＭＡは、３ＧＰＰ長期的高度化（ＬＴＥ）や進化したＵＴＲＡ（Evolved UTRA）の上りリンク多元接続方式として実現される。
【００３０】
さらに、様々な実施態様がＵＥｓとの関連でここに記載されている。ＵＥは、システム、加入者ユニット、加入者局、移動局、移動体、遠隔局、遠隔端末、移動装置、アクセス端末、無線通信装置、ユーザエージェント、ユーザ装置とも呼ばれている。ＵＥは、小型携帯移動電話機（cellular telephone）、コードレス電話（cordless telephone）、セッション開始プロトコル（ＳＩＰ）電話（Session Initiation Protocol (SIP) phone）、無線局所ループ（ＷＬＬ）局（wireless local loop (WLL) station）、パーソナルデジタルアシスタント（ＰＤＡ）（personal digital assistant (PDA)）、無線接続能力のある手持ち式装置、無線モデムに接続されている計算装置その他の処理装置のいずれでも構わない。さらに、ＢＳまたはアクセスノード（ＡＮ：access node）との関連で様々な実施態様がここに記載されている。ＢＳは、ＵＥｓと通信をするために用いられ、アクセスポイント、ＢＳ、フェムトノード（Femto node）、ピコノード（Pico Node）、ノードＢ（Node B）、進化したノードＢ（Evolved Node B (eNodeB, eNB)）、その他の用語でも呼ばれている。
【００３１】
用語「または(or)」は「排他的論理和（exclusive “or”）」ではなくて「包含的論理和（inclusive “or”）」を意味することが意図されている。すなわち、特段の記載がある場合や文脈から明らかな場合を除いて表現「ＸがＡまたはＢを用いる」は列挙されている事項の全てを選択する場合を含む任意のどれか（any of the natural inclusive permutations）を意味することが意図されている。すなわち、表現「ＸがＡを用いる」、「ＸがＢを用いる」、「ＸがＡとＢの両者を用いる」はいずれも表現「ＸがＡまたはＢを用いる」を満たしている。さらに、本願や添付の特許請求の範囲に用いられている冠詞の「ａ」や「ａｎ」は特段の記載のある場合や文脈から単数形であることが明らかである場合を除いて「一つ以上」を意味するものと一般に解釈されなければならないことを断っておく。
【００３２】
ここに記載する様々な態様や特徴は標準的なプログラムや工学の技術を用いて方法、装置、製品のいずれかとして実現することができる。ここで用いている用語「製品（article of manufacture）」はコンピュータが読み取ることのできる装置、キャリア、媒体のいずれ（any computer-readable device, carrier, or media）からでもアクセスすることのできるコンピュータプログラムを含むことが意図されている。例えば、コンピュータが読み取ることのできる媒体には、磁気記憶装置（例えば、ハードディスク、フロッピー（登録商標）ディスク、磁気テープ）、光ディスク（例えば、コンパクトディスク（ＣＤ）、デジタル多用途ディスク（ＤＶＤ））、スマートカード、フラッシュメモリ装置（例えば、ＥＰＲＯＭ、カード、スティック、キードライブ）が含まれるが、これらに限定されるわけではない。さらに、ここに記載する様々な記憶媒体は情報を格納するための一台以上の装置やその他の機械で読み取ることのできる媒体を表している。用語「機械で読み取ることのできる媒体（machine-readable medium）」には、コードや情報やデータを記憶したり、収容したり、搬送したりすることのできる無線チャネルや様々な他の媒体（や記憶媒体）が含まれる。
【００３３】
幾つかの態様ではここに記載する教示が大規模な有効範囲（例えば、マクロセルネットワークと典型的に呼ばれる３Ｇネットワークのような広範囲にわたるセルラネットワーク（a large area cellular network））と小規模な有効範囲（例えば、住居や建物をベースとするネットワーク環境）を有しているネットワークに採用される。ＵＥはそのようなネットワーク内を移動する。ＵＥは、特定の位置では有効範囲の広いＢＳｓによりサービスを受けるが、別の位置では有効範囲の狭いＢＳｓによりサービスを受ける。ある態様では、容量を益々増大させたり、建物内をカバーしたり、（例えば、使用者に強烈な印象を与える（e.g., for a more robust user experience））異なるサービスを提供したりするために有効範囲の狭いノードが用いられる。ここでは比較的広大な領域をカバーするノードをマクロノードと言う。比較的狭い領域（例えば、住宅）をカバーするノードをフェムトノードと言う。マクロ領域よりも狭くてフェムト領域よりも広い領域（例えば、商業施設）をカバーするノードをピコノードと言う。  
マクロノード、フェムトノード、ピコノードのそれぞれに関係付けられているセルをそれぞれマクロセル、フェムトセル、ピコセルと言う。幾つかの実施では、個々のセルは一個以上のセクタにさらに関連付けられている（例えば、分割されている）。
【００３４】
マクロノード、フェムトノード、ピコノードには用途に応じて別の用語が用いられる。例えばマクロノードは、ＢＳ、アクセスポイント、イーノードＢ（eNodeB）、マクロセル、その他として構成されたり、ＢＳ、アクセスポイント、イーノードＢ、マクロセル、その他と呼ばれたりする。またフェムトノードも、ホームノードＢ（Home NodeB）、ホームイーノードＢ（Home eNodeB）、アクセスポイントアクセスノード（access point access node）、ＢＳ、フェムトセル、その他として構成されたり、ホームノードＢ、ホームイーノードＢ、アクセスポイントアクセスノード、ＢＳ、フェムトセル、その他と呼ばれたりする。
【００３５】
図１を参照する。ある実施態様に基づく多元接続無線通信システムが例示されている。アクセスポイント１００（ＡＰ：access point）は複数個のアンテナ群を備えている。ある群は１０４と１０６とを備えていて、別の群は１０８と１１０とを備えていて、さらに別の群は１１２と１１４とを備えている。図１にはアンテナ群毎に２本のアンテナが示されているが、もっと多いかもっと少ないかのどちらかの本数のアンテナを個々の群に用いても構わない。アクセス端末１１６（ＡＴ：access terminal）がアンテナ１１２および１１４と通信をしている。アンテナ１１２および１１４は順方向リンク１２０によりアクセス端末１１６に情報を送信し、逆方向リンク１１８によりアクセス端末１１６から情報を受信する。アクセス端末１２２がアンテナ１０６および１０８と通信をしている。アンテナ１０６および１０８は順方向リンク１２６によりアクセス端末１２２に情報を送信し、逆方向リンク１２４によりアクセス端末１２２から情報を受信する。ＦＤＤシステムでは通信リンクは異なる周波数を通信に使用する。例えば、順方向リンク１２０は逆方向リンク１１８とは異なる周波数を使用することができる。
【００３６】
個々のアンテナ群が通信に指定される領域および個々のアンテナ群の両者または一方はアクセスポイントのセクタとしばしば呼ばれる。この実施態様ではどのアンテナ群も、アクセスポイント１００がカバーしている領域のセクタ内でアクセス端末と通信をするように設計されている。
【００３７】
順方向リンク１２０および１２６による通信ではアクセスポイント１００の送信アンテナはビームフォーミングを用いて異なるアクセス端末１１６および１２２のために順方向リンクの信号対雑音比を改善する。また、有効範囲内にでたらめに散らばっているアクセス端末にビームフォーミングを用いて送信をしているアクセスポイントは有効範囲内の全てのアクセス端末に一本のアンテナで送信をしているアクセスポイントに比べて隣接セル内のアクセス端末と干渉を起こすことが少ない。
【００３８】
アクセスポイントは無線端末との通信に用いられる固定局であり、アクセスポイント、ノードＢ、進化したノードＢ（ｅＮＢ）、その他の用語で呼ばれることもある。アクセス端末は、アクセス端末、ＵＥ、無線通信装置、端末、アクセス端末、その他の用語で呼ばれることもある。さらにアクセスポイントは、マクロセルアクセスポイント、フェムトセルアクセスポイント、ピコセルアクセスポイント、その他と呼ばれる。
【００３９】
様々な実施態様では、ここに記載するように、一個以上のセグメントまたは一個以上の拡張キャリアを正規のキャリアに結び付けることができるので、ＵＥがｅＮＢと情報の送受信をする合成帯域幅が得られる。
【００４０】
ＭＩＭＯシステムは、複数（ＮＴ）本の送信アンテナと複数（ＮＲ）本の受信アンテナとをデータ送信に採用している。ＮＴ本の送信アンテナとＮＲ本の受信アンテナとにより形成されるＭＩＭＯチャネルは空間チャネルとも呼ばれているＮＳ本の独立チャネルに分解されるが、ここでＮＳ≦min{ＮＴ、ＮＲ}である。ＮＳ本の独立チャネルの各々は次元に対応している。ＭＩＭＯシステムは、複数本の送受信アンテナにより生成される付加的な次元数を活用すれば改善された性能（高い処理能力と大きな信頼性）を提供することができる。
【００４１】
ＭＩＭＯシステムは時分割複信（ＴＤＤ）および周波数分割複信（ＦＤＤ）をサポートすることができる。ＴＤＤシステムでは、順方向および逆方向の両送信が同じ周波数領域で行われるので相反定理により逆方向リンクチャネルから順方向リンクチャネルを推定することができる。これによりアクセスポイントは複数本のアンテナを利用することができるのであれば送信ビームフォーミング利得を順方向リンクで引き出すことができる。
【００４２】
図２は、ＭＩＭＯシステム２００における送信機システム（アクセスポイントとしても知られている）および受信機システム（アクセス端末としても知られている）の実施態様のブロック図である。この受信機システムをここに述べるようなＵＥに採用すれば、図５、図６、図７を参照して以下で説明するように交信または稼働の状態と遊休の状態とを同時に生じさせること（すなわち併存させること）ができる。図２は、ここに記載する諸実施態様をここに記載する一式の様々な態様にしたがって採用することのできる典型的な無線通信システムを示している。ここに記載する教示は、少なくとも一つの別のノードと通信をするために様々なコンポーネントを採用しているノード（例えば、装置）に組み込むことができる。図２は、ノード間の通信を可能にするために採用することのできるコンポーネントの幾つかの見本を示している。特に図２は、無線通信システム（例えば、ＭＩＭＯシステム２００）における無線装置２１０（例えば、アクセスポイント）および無線装置２５０（例えば、アクセス端末）を例示している。装置２１０では、幾つかのデータストリームに関する交信データがデータソース２１２から送信（ＴＸ）データプロセッサ２１４に供給される。
【００４３】
幾つかの態様では個々のデータストリームはそれぞれの送信アンテナから送信される。ＴＸデータプロセッサ２１４は、データストリーム毎に交信データのフォーマット化、符号化、インターリーブ化を当該データストリームのために選択された特定の符号化方式に基づいて行って符号化データを供給する。
【００４４】
各データストリームの符号化データは直交周波数分割多重（ＯＦＤＭ：orthogonal frequency division multiplexing）技術を用いてパイロットデータで多重化される。パイロットデータは典型的には既知の方法で処理される既知のデータパターンであり、受信機システムでチャネル応答の推定に使用される。データストリーム毎に多重化されたパイロットと符号化データは、当該データストリームのために選択された特定の変調方式（例えば、２相位相シフトキーイング（ＢＰＳＫ：binary phase-shift keying）、４相位相シフトキーイング（ＱＰＳＫ：quadrature phase-shift keying）、Ｍ位相シフトキーイング（Ｍ−ＰＳＫ：M-phase-shift keying）、Ｍ直交振幅変調（Ｍ−ＱＡＭ：M-quadrature amplitude modulation）のいずれか）に基づいて変調されて（例えば、シンボルマッピングされて）変調シンボルが供給される。データストリーム毎のデータ転送速度、符号化、変調は、プロセッサ２３０が実行する命令により決まる。装置２１０のプロセッサ２３０または他のコンポーネントが使用するプログラムコード、データ、その他の情報をデータメモリ２３２が格納する。
【００４５】
データストリームのための変調シンボルがＴＸ  ＭＩＭＯプロセッサ２２０に供給されて、変調シンボルが（例えば、ＯＦＤＭ用に）さらに処理される。ＴＸ  ＭＩＭＯプロセッサ２２０はＮＴ本の変調シンボルストリームをＮＴ台のトランシーバ（ＸＣＶＲ）２２２Ａないし２２２Ｔに供給する。様々な態様では、ＴＸ  ＭＩＭＯプロセッサ２２０はビームフォーミング重みをデータストリームのシンボルやシンボルを送信するアンテナに適用する。
【００４６】
各送信機２２２は、それぞれのシンボルストリームの受信および処理をして一個以上のアナログシグナルを供給し、アナログシグナルをさらに調整（例えば、増幅、フィルタリング、逓増）してＭＩＭＯチャネルによる送信に適した変調シグナルを供給する。トランシーバ２２２Ａ〜２２２ＴからのＮＴ個の変調済みシグナルはＮＴ本のアンテナ２２４Ａ〜２２４Ｔからそれぞれ送信される。
【００４７】
装置２５０では送信された変調シグナルがＮＲ本のアンテナ２５２Ａ〜２５２Ｒにより受信され、それぞれのアンテナ２５２が受信したシグナルがそれぞれのトランシーバ（ＸＣＶＲ）２５４Ａ〜２５４Ｒに供給される。個々の受信機２５４は、それぞれのシグナルを調整（例えば、フィルタリング、増幅、逓減）し、調整されたシグナルをデジタル化してサンプルを供給し、サンプルをさらに処理して対応する「受信」シンボルストリームを供給する。
【００４８】
受信（ＲＸ）データプロセッサ２６０は、ＮＲ台のトランシーバ２５４からＮＲ本の受信シンボルストリームを受信して特定の受信機処理技術に基づいてこれらに処理を施してＮＴ本の「検出」シンボルストリームを供給する。ＲＸデータプロセッサ２６０は、検出された個々のシンボルストリームを復調し、デインターリーブし、復号化してデータストリーム毎に交信データを回復する。ＲＸデータプロセッサ２６０による処理は、ＴＸ  ＭＩＭＯプロセッサ２２０およびＴＸデータプロセッサ２１４により装置２１０で実行される処理の補足である。
【００４９】
プロセッサ２７０はどのプリコーディング行列（pre-coding matrix）を用いるかを周期的に決める（以下に述べる）。プロセッサ２７０は、行列索引部（matrix index portion）とランク値部（rank value portion）とから成る逆方向リンクメッセージを形成する。装置２５０のプロセッサ２７０または他のコンポーネントが使用するプログラムコード、データ、その他の情報をデータメモリ２７２が格納する。
【００５０】
逆方向リンクメッセージは、通信リンクや受信データストリームに関する様々な種類の情報から成っている。逆方向リンクメッセージは、データソース２３６から幾つかのデータストリームに関する交信データも受信するＴＸデータプロセッサ２３８により処理され、変調器２８０により変調され、トランシーバ２５４Ａ〜２５４Ｒにより調整され、装置２１０に返送される。
【００５１】
装置２１０では装置２５０からの変調されたシグナルがアンテナ２２４により受信され、受信機２２２により調整され、復調器（ＤＥＭＯＤ：demodulator）２４０により復調され、ＲＸデータプロセッサ２４２により処理されて装置２５０が送信した逆方向リンクメッセージが抽出される。プロセッサ２３０は、ビームフォーミング重みを決定するためにどのプリコーディング行列を用いるのかを決めてから、抽出されたメッセージを処理する。
【００５２】
図２は、ここに教示するように干渉制御機能を実行するコンポーネントを交信コンポーネントが一個以上有していることも示している。例えば、干渉（INTER.）制御コンポーネント２９０は装置２１０のプロセッサ２３０や他のコンポーネントと共同してここに教示するように他の装置（例えば、装置２５０）とシグナルの送受信をする。同様に、干渉制御コンポーネント２９２は装置２５０のプロセッサ２７０や他のコンポーネントと共同して別の装置（例えば、装置２１０）とシグナルの送受信をする。ここに記載した二種類以上のコンポーネントの機能が装置２１０や２５０のそれぞれで単一のコンポーネントにより提供されるようにしても構わないことを理解されたい。例えば、単一の処理コンポーネントが干渉制御コンポーネント２９０とプロセッサ２３０の機能を提供し、単一の処理コンポーネントが干渉制御コンポーネント２９２とプロセッサ２７０の機能を提供するようにしても良い。
【００５３】
図３は、ここに述べた様々な態様にしたがって同時または並行交信−遊休または遊休−遊休復調を可能にするためにフェムトノードが一個以上展開されている典型的な無線通信システムの例である。特にシステム３００は、（例えば、在圏ユーザ３３０が一人以上の）比較的小規模のネットワーク環境に設置される複数のフェムトノード３１０（例えば、フェムトノード３１０Ａおよび３１０Ｂ）を有している。個々のフェムトノード３１０は、デジタル加入者線（ＤＳＬ：digital subscriber line）ルータ、ケーブルモデム、無線リンク、その他の（図示していない）接続手段により広域ネットワーク３４０（例えば、インターネット）やモバイルオペレータコアネットワーク３５０に接続されている。以下に説明するように個々のフェムトノード３１０は、関係付けられているＵＥｓ（例えば、関係付けられているＵＥ３２０Ａ）にはサービスを提供し、関係付けられていないＵＥｓ（例えば、関係付けられていないＵＥ３２０Ｂ）には必要に応じてサービスを提供するように構成されている。言い換えればフェムトノード３１０へのアクセスは、一組の指定されている（例えば、ホームの）フェムトノード３１０によるサービスであれば受けることができるが、指定されていないフェムトノード３１０（例えば、隣のフェムトノード）によるサービスであれば受けることができないようにどのＵＥ３２０も制限されている。
【００５４】
しかし、様々な実施態様では、余所のＵＥ３２０Ｂにサービスを提供しているフェムトノード３１０から関連ＵＥ３２０ＡがＤＬで干渉を受けることがある。同様に、関連ＵＥ３２０Ａに関連付けられているフェムトノード３１０は余所のＵＥ３２０ＢからＵＬで干渉を受けることがある。どの実施態様でもここに述べるようにシステム３００で干渉の管理が行われる。
【００５５】
図４は、ここに記載した様々な態様にしたがって同時または並行交信−遊休または遊休−遊休復調を可能にする無線通信システムの典型的な有効範囲図の例である。有効範囲図４００には幾つかのトラッキング領域４０２（またはルーティング領域または位置領域）が含まれていて、いずれも幾つかのマクロ有効範囲領域が含まれている。トラッキング領域４０２Ａ、４０２Ｂ、４０２Ｃに関連付けられている受信可能領域は太い線で示されていて、広域受信可能領域４０４は六角形で示されている。トラッキング領域４０２Ａ、４０２Ｂ、４０２Ｃにはフェムト受信可能領域４０６が含まれている。この例では、個々のフェムト受信可能領域４０６（例えば、フェムト受信可能領域４０６Ｃ）は広域受信可能領域４０４（例えば、広域受信可能領域４０４Ｂ）の中に表示されている。但し、フェムト受信可能領域４０６は広域受信可能領域４０４の中にまるまる位置しているわけではない。実際には、多数のフェムト受信可能領域４０６が所定のトラッキング領域４０２や広域受信可能領域４０４と共に確定されている。また、（図示されていない）ピコ受信可能領域が所定のトラッキング領域４０２や広域受信可能領域４０４の中に一個以上定められている。
【００５６】
再び図３を参照する。フェムトノード３１０の所有者は、モバイルオペレータコアネットワーク３５０を通じて提案される、例えば、第三世代移動業務（3G mobile service）のような移動業務（mobile service）を申し込むことができる。その上に、ＵＥ３２０は大規模環境と（例えば、住宅用の）小規模ネットワーク環境の両者で稼働する。したがって、例えば、ＵＥ３２０の現在の所在に応じて一式のフェムトノード３１０（例えば、対応するユーザの住宅３３０内にあるフェムトノード３１０Ａおよび３１０Ｂ）のどれか一つまたはアクセスノード３５０からＵＥ３２０はサービスを受ける。例えば、加入者が外出している場合には標準的なマクロセルアクセスノード（例えば、ノード３６０）からサービスを受け、在宅している場合にはフェムトノード（例えば、ノード３１０Ａ）からサービスを受ける。ここで、フェムトノード３１０は現存しているＵＥｓ３２０と後方互換であることを理解されたい。
【００５７】
フェムトノード３１０は、単一周波数のために配置することもできれば、複数の周波数のために配置することもできる。複数の周波数の内の１種類以上の周波数または前記の単一周波数は、特定の構成に応じて、マクロセルアクセスノード（例えば、ノード３６０）が使用する１種類以上の周波数と重複していても構わない。
【００５８】
ある態様では、ＵＥ３２０は好ましいフェムトノード（例えば、ＵＥ３２０のホームフェムトノード）に可能な限り接続するように構成されている。例えば、ＵＥ３２０がユーザの住宅３３０内にある時はいつでもＵＥ３２０はホームフェムトノード３１０とだけ通信をすることが望ましい。
【００５９】
幾つかの態様では、ＵＥ３２０がモバイルオペレータコアネットワーク３５０内で稼働していても、（例えば、好ましいローミングリストに載っているような）最も好ましいネットワークに在圏していない場合には、ＵＥ３２０は利用可能なシステムを周期的にスキャンしてより良いシステムが現在利用できないかどうかを判断し、その後、好ましいシステムに連携するように努める増しなシステムの再選択（ＢＳＲ：Better System Reselection）機能を用いて最も好ましいネットワーク（例えば、フェムトノード３１０）を探索し続ける。収集記入項目（acquisition entry）のおかげでＵＥ３２０は特定の帯域とチャネルに探索を限定することができる。例えば、最も好ましいシステムの探索が周期的に繰り返される。フェムトノード３１０のような好ましいフェムトノードを発見するとＵＥ３２０はフェムトノード３１０を選択してその受信可能領域に在圏する。
【００６０】
フェムトノードが制限されている態様もある。例えば、所定のフェムトノードは特定のＵＥｓに特定のサービスを提供するだけである。いわゆる接続の制限（や閉鎖）が実施されている場合には（In deployments with so-called restricted (or closed) association）所定のＵＥはマクロセルモバイルネットワークや定義されている一組のフェムトノード（例えば、対応するユーザの住宅３３０に設けられているフェムトノード３１０）によりサービスを受けることができるだけである。幾つかの実施では、シグナリング、データアクセス、登録、ページング、サービスの少なくとも一つを少なくとも一台のノードに提供しないようにどのノードも制限される。
【００６１】
幾つかの態様では、限定的フェムトノード（閉鎖的加入者群のホームノードＢ（Closed Subscriber Group Home NodeB）としても言及される）は限定的に設けられている一組のＵＥｓにサービスを提供するノードである。この組は、必要に応じて一時的または永続的に拡張することができる。幾つかの態様では閉鎖的加入者群（ＣＳＧ：Closed Subscriber Group）は、ＵＥｓの共通アクセス制御リストを共有する一組のＢＳｓ（例えば、フェムトノード）として定義される。ある領域の全フェムトノード（または全ての限定的フェムトノード）が作動するチャネルをフェムトチャネルと呼ぶことができる。
【００６２】
したがって、所定のフェムトノードと所定のＵＥとの間には様々な関係が存在する。例えば、ＵＥの観点からすれば開放的なフェムトノードとは接続制限のないフェムトノード（Femto node with no restricted association）を指す。限定的なフェムトノードとは何らかの方法で（例えば、接続や登録が）制限されているフェムトノードを言う。ホームフェムトノードとは、アクセスしたり稼働したりすることをＵＥが許されているフェムトノードを言う。ゲストフェムトノードとは、アクセスしたり稼働したりすることをＵＥが一時的に許されているフェムトノードを言う。余所のフェムトノード（alien Femto node）とは、緊急事態（例えば、９１１の呼び出し）を除いてアクセスしたり稼働したりすることがＵＥには許されていないフェムトノードを言う。
【００６３】
限定的なフェムトノードの観点からはホームＵＥとは限定的なフェムトノードにアクセスすることが許されているＵＥを言う。ゲストＵＥとは、限定的なフェムトノードに一時的にアクセスすることが許されているＵＥを言う。余所のＵＥとは、例えば、９１１の呼び出しのような緊急事態を除いて限定的なフェムトノードにアクセスすることが許されていないＵＥ（例えば、限定的なフェムトノードに登録する資格または許可を有していないＵＥ）を言う。
【００６４】
図４をフェムトノードとの関連で説明したが、ピコノードも同じであるか類似しているかのいずれかである機能をより広い受信可能領域に提供することができることを理解されたい。例えば、ピコノードに制限を加えることもできるし、ホームピコノードを所定のＵＥに限定することもできる。
【００６５】
図５は、ここに記載する実施態様に基づく通信システムのブロック図である。システム５００は多くのセル５０２に通信を提供する。例えば、各セル５０２Ａ〜５０２Ｇは対応するＢＳ５０４（例えば、ＢＳ５０４Ａ〜５０４Ｇ）によりサービスを受ける。図5に示されているようにＵＥ５０６（例えば、ＵＥｓ５０６Ａ〜５０６Ｌ）はシステム全体に亘って時間と共に様々な位置に分散していく。個々のＵＥ506は、例えば、ＵＥ５０６が稼働しているかどうかやソフトハンドオフ中であるかどうかに基づいてＤＬやＵＬで一個以上のＢＳ５０４とある瞬間に通信をする。無線通信システム５００は広大な地域（a large geographic region）にサービスを提供する。例えば、マクロセル５０２Ａ〜５０２Ｇは幾つかの隣接ブロックを受信可能範囲に含んでいる。
【００６６】
ここに説明しているシステム、装置、方法を採用すれば、マクロネットワーク上での交信や稼働の状態または遊休モードの状態を中断させることなく同時または並行交信−遊休または遊休−遊休復調を稼働モードハンドインや遊休モードハンドインのために可能にすることができる。
【００６７】
様々な実施態様では、ある無線アクセス技術（ＲＡＴ：radio access technology）とプロトコルスタックとが同時にまたは並行して交信状態と遊休状態にあるか、両者が共に同時にまたは並行して遊休状態にあるかのいずれかである単一ベースバンドチップアーキテクチャをＵＥが有している。ＲＡＴが特定の時間に一つの状態しかとれない現在の枠組みとの関連で多くの解決策がここに記載する諸々の実施態様により提供される。例えば、どの実施態様でも交信や遊休の状態が途切れてしまうことがないので次のようなことが可能になる。すなわち、稼働モードフェムトセルハンドインの最中に交信や遊休の状態が途切れることがない。またＵＥは、交信や遊休の状態が途切れることなく緊急警報を受信することができる。さらに、遊休モードフェムトセルハンドインの最中にマクロネットワークでの遊休の状態が途切れることがない。
【００６８】
図６、図７、図８は、ここに記載する諸実施態様にしたがって復調を可能にする諸方法の諸実施態様の流れ図である。
【００６９】
図６を参照する。方法６００を採用すると、発展中の米国連邦通信委員会（ＦＣＣ）商用移動体警報システム（ＣＭＡＳ）（Federal Communications Commission (FCC) commercial mobile alert system (CMAS)）に必要とされている緊急警報と同様の緊急警報の監視と受信が可能になる。
【００７０】
方法６００の実施にあたってＵＥ受信機は単一受信機機構を交信や稼働の状態および遊休の状態のために備えていれば良いだけなので電力消費の影響は比較的少なくて済む。交信または稼働の状態および遊休の状態は主従関係（master-slave relationship）を採用することにより維持される。幾つかの実施態様では方法６００はハンドインの最中に実行される。
【００７１】
方法６００では、６１０でＵＥが共通チャネルを監視してアクティブセット（active set）のセルまたはセクタを評価する。幾つかの実施態様では、交信や遊休の情報を受信するように構成されている単一受信機機構を有しているユーザ機器が監視をする。監視は周期的に行われる。
【００７２】
幾つかの実施態様ではアクティブセットのセルまたはセクタを評価することにはアクティブセットのセルまたはセクタを評価してどのセルやセクタであれば警報を監視することができるのかを判断することが含まれている。幾つかの実施態様ではアクティブセットのセルまたはセクタを評価することにはアクティブセットのセルまたはセクタを評価して指定されている報知スロット（designated broadcast slots）での商用移動体警報システム警報の監視や受信に最適なセルまたはセクタを判断することが含まれている。幾つかの実施態様では一個以上のセルまたはセクタが商用移動体警報システム警報の監視や受信に最適なセルまたはセクタであり得る。
【００７３】
方法６００では、一つ以上の緊急警報の復調を含むチャネルの復調が単一受信機機構を用いて６２０で行われる。復調は、ＲＡＴおよびＲＡＴに関連付けられているプロトコルスタックにより行われる。ＵＥの受信機フィンガ（UE receiver fingers）は報知スロットの緊急警報を含めて交信および共通の両チャネルを復調することができる。
【００７４】
幾つかの実施態様では方法６００には６３０でアクティブセットに基づいて最も強いパイロットを選択することが含まれている。幾つかの実施態様ではこの選択は候補のセット（candidate set）に基づいてもいる。
【００７５】
幾つかの実施態様では交信および遊休のそれぞれの情報が同じ周波数で受信される。幾つかの実施態様ではチャネルが交信チャネルと共通チャネルで構成されている。幾つかの実施態様では一つ以上の緊急警報が報知スロットで送信される。
【００７６】
図７を参照する。方法７００は、方法６００と同じようにどの実施態様でも交信状態と遊休状態とが同じ周波数で実行される。この実施態様を採用すると、発展中の米国連邦通信委員会（ＦＣＣ）商用移動体警報システム（ＣＭＡＳ）に必要とされている緊急警報と同様の緊急警報の監視と受信が可能になる。
【００７７】
方法７００を実行するために、ＵＥ受信機は交信または稼働の状態と遊休の状態のそれぞれのために独立した受信機機構を有している。そういうものとして方法７００では移動体受信ダイバーシチ（ＭＲＤ：mobile receive diversity）の可能なＵＥｓや同時ハイブリッドデュアルレシーバ（ＳＨＤＲ：Simultaneous Hybrid Dual Receiver）の可能なＵＥｓと同じように二台の受信機機構が活用される。ＲＸ機構は、探索、セットの維持、フィンガ、受信機の諸々のプロトコル操作を別個に行う。このようなわけで方法７００では方法６００に比べてＵＥの電力消費が大きくなる。
【００７８】
方法７００では、７１０において第一受信機機構で交信情報を受信する。幾つかの実施態様ではこの処理は第一送信機機構での情報の処理と同時に行われる。
【００７９】
方法７００では、７２０において第二受信機機構で遊休情報を受信する。第一受信機機構および第二受信機機構は、ユーザ機器の単一受信機に組み込まれていて独立した探索とセットの維持の少なくとも一方を実施する。
【００８０】
方法７００では、無線アクセス技術およびこの無線アクセス技術に関連付けられているプロトコルスタックにより復調が行われている下でチャネルの復調が７３０で行われる。
【００８１】
幾つかの実施態様では第一受信機機構の遊休状態から生じるシステムアクセスが抑制される。様々な実施態様では遊休状態は異なる事象や出来事と一緒に機能する。限定ではなく一例として遊休状態は、第一受信機機構で交信に関するＭＲＤ機能が使用禁止である時や第一受信機機構で交信に関するＭＲＤから第一受信機機構で非同調になる時に機能する。ＭＲＤが使用禁止である時に遊休状態になる場合、動的であるか静的であるかのいずれかで遊休状態になる。幾つかの実施態様では第二受信機機構の遊休状態はアンテナがかなり不均衡な状態で弱い受信可能領域では実行することができない。
【００８２】
図８に移る。交信および遊休の両状態が異なる周波数である実施態様に方法８００を実施することができる。例えば、ＵＥがフェムトセルハンドインの対象であり、しかも、マクロネットワークとフェムトセルとが異なる周波数である実施態様に方法８００を採用することができる。
【００８３】
様々な実施態様ではＵＥはＳＨＤＲの可能なＵＥである。この実施態様では二台の受信機機構を使用して、二台の受信機機構のそれぞれで方法８００を参照して説明するように別個に探索やセットの維持やフィンガおよびプロトコル作業をすることができる。受信機機構は別々に同調することができる。
【００８４】
この実施態様では８１０で、第一セルに関する交信または第一遊休の情報を第一受信機機構で受信しているＵＥを方法８００が有している。幾つかの実施態様ではこの処理は第一送信機機構での情報の処理と同時に行われる。
【００８５】
８２０で、第二セルに関する第二遊休情報を第二受信機機構で受信しているＵＥを方法８００が有している。ここで、第一セルおよび第二セルがマクロネットワークかフェムトセルの少なくとも一方に含まれている。第二セルは第一セルと異なっている。幾つかの実施態様では第一セルはフェムトセルであり、第二セルはマクロネットワークに含まれている。しかし、様々な実施態様では、ここに記載するシステムおよび方法は、どのような異なる二種類のセルにも採用することができるだけでなく、同じ種類のセルであれば一つのフェムトセルから別のフェムトセルへのように一方のセルから他方のセルへのハンドインに採用することができる。幾つかの実施態様ではフェムトセルに関する遊休状態や別の情報が第一受信機機構で受信される。
【００８６】
方法８００では、無線アクセス技術およびこの無線アクセス技術に関連付けられているプロトコルスタックにより復調が行われている下で第一セルおよび第二セルからチャネルを復調するＵＥを方法８００は８３０で含むことができる。
【００８７】
様々な実施態様では受信中にシステムアクセスが引き起こされたり送信機の仲裁が用いられたりする。幾つかの実施態様では第一受信機機構および第二受信機機構はハンドインが行われているユーザ機器の受信機に含まれている。幾つかの実施態様では、マクロネットワークからフェムトセルへのハンドインである。
【００８８】
幾つかの実施態様では第一受信機機構および第二受信機機構はハンドインが行われているユーザ機器の受信機に含まれている。幾つかの実施態様では、第一セルからの交信チャネルおよび第二セルからの共通チャネル、または第一セルからの共通チャネルおよび第二セルからの共通チャネルの少なくとも一方でチャネルが構成されている。幾つかの実施態様では、マクロネットワークからフェムトセルへのハンドインである。幾つかの実施態様では、フェムトセルからマクロネットワークへのハンドアウトである。
【００８９】
方法６００、７００、８００を一つ以上採用すればＵＥは交信状態や稼働状態にあっても緊急警報を受信することができるようになる。限定ではなく一例として方法６００、７００、８００は、ＣＭＡＳトランスポート機構が共通チャネルで遊休状態の間にＳＭＳを一斉通信する緊急警報をＵＥｓに提供するために米国の商用移動体警報システム（ＣＭＡＳ）と互換性があるか同システムに類似しているかのいずれかの機能を提供することができる。例えば、ＣＤＭＡ  １ｘではＣＤＭＡキャリアによりＳＭＳが一斉通信され、ＧＳＭやＵＭＴＳのシステムでは３ＧＰＰキャリアによりセルの一斉通信がある。
【００９０】
ＣＭＡＳでは呼び出しを中断して緊急警報の監視や受信をすることが禁止されているので現在のＵＥｓは交信または稼働している状態では緊急警報を監視したり受信したりすることができない。そのようなものではあるけれどもここに説明する実施態様ではＵＥが交信中や稼働中であるにも拘らず進行中の呼び出しをＵＥで遮ることなく緊急警報を受信すること（しかもこの設計ではシステムのネットワークやＢＳ側には変更など一切不要である）、稼働モードフェムトセルハンドインの最中にマクロネットワークで交信や稼働の状態を中断しないこと、遊休モードフェムトセルハンドインの最中にマクロネットワークで遊休の状態を中断しないことが同時交信−遊休復調により一つ以上可能である。
【００９１】
図９は、ここに記載する様々な態様にしたがって同時または並行交信−遊休または遊休−遊休復調を可能にする無線通信システムの典型的なブロック図の例である。
【００９２】
図６、図７、図８を参照する。ここに記載するように同時または並行交信−遊休または遊休−遊休復調を可能にする方法が提供される。特に図９を参照する。この実施態様では、データや制御情報の送受信だけでなく、システム、方法、コンピュータプログラム製品のいずれかとの関連でここに記載しているその他の様々な種類の情報の送受信をもＵＥｓ９０４、９２４との間で行うトランシーバ９０６、９１６をＢＳｓ９０２、９２２は備えている。トランシーバ９０６、 ９１６はデータや制御チャネル情報を送信するように構成されている。例えば、トランシーバ９０６、９１６は交信や遊休の情報をＵＥｓ９０４、９２４に送信するように構成されている。
【００９３】
ＢＳｓ９０２、９２２はプロセッサ９０８、９２８やメモリ９１０、９３０も備えている。プロセッサ９０８、９２８は、システム、方法、コンピュータプログラム製品のいずれかとの関連でここに記載している諸機能を一つ以上実行するように構成されている。ＢＳｓ９０２、９２２は、それぞれメモリ９１０、９３０を備えている。メモリ９１０、９３０は、システム、方法、装置、コンピュータプログラム製品のいずれかとの関連でここに説明する諸機能を実行するためにコンピュータが実行することのできる命令や情報を格納するためのものである。
【００９４】
ＢＳｓ９０２、９２２は、同時または並行交信−遊休または遊休−遊休復調を実行するように構成されている交信−遊休および遊休−遊休復調モジュール９１２、９３２も備えている。幾つかの実施態様ではＢＳｓ９０２、９２２は、図６、図７、図８の方法を可能にする一種類以上の工程を実行するように構成されている。
【００９５】
ＵＥｓ９０４、９２４は、ＢＳｓ９０２、９２２との間でデータや制御情報を送受信するだけでなく、システム、方法、コンピュータプログラム製品のいずれかとの関連でここに記載しているその他の様々な種類の情報をも送受信するように構成されているトランシーバ９１４、９３４を備えている。幾つかの実施態様ではトランシーバ９１４、９３４はＵＥｓ９０４、９２４のために交信や遊休の情報を受信するように構成されている。
【００９６】
ＵＥｓ９０４、９２４はプロセッサ９１６、９３６やメモリ９１８、９３８も備えている。プロセッサ９１６、９３６は、システム、方法、コンピュータプログラム製品のいずれかとの関連でここに記載している諸機能を一つ以上実行するように構成されている。ＵＥｓ９０４、９２４は、それぞれメモリ９１８、９３８を備えている。メモリ９１８、９３８は、システム、方法、装置、コンピュータプログラム製品のいずれかとの関連でここに説明する諸機能を実行するためにコンピュータが実行することのできる命令や情報を格納するためのものである。
【００９７】
ＵＥｓ９０４、９２４は、同時または並行交信−遊休または遊休−遊休復調を可能にするように構成されている交信−遊休および遊休−遊休復調モジュール９２０、９４０も備えている。幾つかの実施態様ではＵＥの交信−遊休および遊休−遊休復調モジュール９２０、９４０は方法６Ａ、６Ｂ、７、８の一種類以上の工程を実行するように構成されている。様々な実施態様ではＵＥｓ９０４、９２４は、以下に述べるようにシステム１０００、１１００、１２００のいずれかの中に存在しているか含まれているかのいずれかである。
【００９８】
図１０を参照する。システム１０００が電気コンポーネントの論理的または物理的なグループ１００２を備えている。例えば、論理的または物理的なグループ１００２は共通チャネルを監視してアクティブセット内のセルやセクタを評価する電気コンポーネント１００４を備えている。幾つかの実施態様では、交信や遊休の情報を受信するように構成されている単一受信機機構を有しているユーザ機器が監視をする。監視は周期的に行われる。
【００９９】
幾つかの実施態様ではアクティブセットのセルまたはセクタを評価することにはアクティブセットのセルまたはセクタを評価してどのセルやセクタであれば警報を監視することができるのかを判断することが含まれている。幾つかの実施態様ではアクティブセットのセルまたはセクタを評価することにはアクティブセットのセルまたはセクタを評価して指定されている報知スロット（designated broadcast slots）での商用移動体警報システム警報の監視や受信に最適なセルまたはセクタを判断することが含まれている。幾つかの実施態様では一個以上のセルまたはセクタが商用移動体警報システム警報の監視や受信に最適なセルまたはセクタであり得る。
【０１００】
論理的または物理的なグループ１００２には、単一受信機機構を用いて一つ以上の緊急警報の復調を含むチャネルの復調をする電気コンポーネント１００６も含まれている。復調は、ＲＡＴおよびＲＡＴに関連付けられているプロトコルスタックにより行われる。幾つかの実施態様では受信機フィンガは報知スロットの緊急警報を含めて交信および共通のそれぞれのチャネルを復調する。
【０１０１】
論理的または物理的なグループ１００２には、アクティブセットに基づいて最も強いパイロットを選択する電気コンポーネント１００８も含まれている。幾つかの実施態様ではこの選択は候補のセット（candidate set）に基づいてもいる。 
幾つかの実施態様では交信および遊休のそれぞれの情報が同じ周波数で受信される。幾つかの実施態様ではチャネルが交信チャネルと共通チャネルで構成されている。幾つかの実施態様では一つ以上の緊急警報が報知スロットで送信される。幾つかの実施態様ではシステム1000はＵＥ内のシステムである。
【０１０２】
論理的または物理的なグループ１００２には格納するための電気コンポーネント１０１０も含まれている。
【０１０３】
図１１を参照する。システム１１００が電気コンポーネントの論理的または物理的なグループ１１０２を備えている。交信および遊休の状態がどちらも同じ周波数である実施態様としてシステム１１００を実現することができる。この実施態様を採用すると、発展中の米国連邦通信委員会（ＦＣＣ）商用移動体警報システム（ＣＭＡＳ）に必要とされている緊急警報と同様の緊急警報の監視と受信が可能になる。 
システム１１００は、交信または稼働の状態と遊休の状態のそれぞれのために独立した受信機機構を有している。そういうものとしてシステム１１００は、移動体受信ダイバーシチ（ＭＲＤ：mobile receive diversity）の可能なＵＥｓや同時ハイブリッドデュアルレシーバ（ＳＨＤＲ：Simultaneous Hybrid Dual Receiver）の可能なＵＥｓと同じように二台の受信機機構を活用している。ＲＸ機構は、探索、セットの維持、フィンガ、受信機の諸々のプロトコル操作を別個に行う。したがってシステム１１００は、システム１０００やシステム１０５０よりも多くの電力を消費する。
【０１０４】
論理的または物理的なグループ１１０２には、第一受信機機構で交信情報を受信する電気コンポーネント１１０４も含まれている。幾つかの実施態様ではこの処理は第一送信機機構での情報の処理と同時に行われる。論理的または物理的なグループ１１０２には、第二受信機機構で遊休情報を受信する電気コンポーネント１１０６も含まれている。第一受信機機構および第二受信機機構は、ユーザ機器の単一受信機に組み込まれていて独立した探索とセットの維持の少なくとも一方を実施する。
【０１０５】
論理的または物理的なグループ１１０２には、無線アクセス技術およびこの無線アクセス技術に関連付けられているプロトコルスタックにより復調が行われている下でチャネルを復調する電気コンポーネント１１０８が含まれている。
【０１０６】
幾つかの実施態様では第一受信機機構の遊休状態から生じるシステムアクセスが抑制される。様々な実施態様では遊休状態は異なる事象や出来事と一緒に機能する。限定ではなく一例として、交信に関するＭＲＤ機能が第一受信機機構では使用禁止であったり、第一受信機機構での交信に関して第一受信機機構で同調がＭＲＤから外れたりすると遊休状態になる。ＭＲＤが使用禁止である時に遊休状態になる場合、動的であるか静的であるかのいずれかで遊休状態になる。幾つかの実施態様では第二受信機機構の遊休状態はアンテナがかなり不均衡な状態で弱い受信可能領域では実行することができない。  
論理的または物理的なグループ１１０２には格納するための電気コンポーネント１１１０も含まれている。
【０１０７】
図１２を参照する。システム１２００が電気コンポーネントの論理的または物理的なグループ１２０２を備えている。交信および遊休の状態が異なる周波数である実施態様としてシステム１２００を実現することができる。例えば、ＵＥがフェムトセルハンドインの対象であり、しかも、マクロネットワークとフェムトセルとが異なる周波数である実施態様に方法１２００を採用することができる。
【０１０８】
様々な実施態様ではＵＥはＳＨＤＲの可能なＵＥである。この実施態様では二台の受信機機構を使用して、二台の受信機機構のそれぞれで方法８００を参照して説明するように別個に探索やセットの維持やフィンガおよびプロトコル作業をすることができる。受信機機構は別々に同調することができる。
【０１０９】
論理的または物理的なグループ１２０２には、第一受信機機構で交信または第一遊休の情報を受信する電気コンポーネント１２０４が含まれていても構わない。幾つかの実施態様ではこの処理は第一送信機機構での情報の処理と同時に行われる。
【０１１０】
論理的または物理的なグループ１２０２には、第二セルのために第二遊休情報を第二受信機機構で受信する電気コンポーネント１２０６が含まれていても構わない。ここで、第一セルおよび第二セルがマクロネットワークかフェムトセルの少なくとも一方に含まれている。第二セルは第一セルと異なっている。
【０１１１】
論理的または物理的なグループ１２０２には、無線アクセス技術およびこの無線アクセス技術に関連付けられているプロトコルスタックにより復調が行われている下で第一セルおよび第二セルからチャネルを復調する電気コンポーネント１２０８が含まれている。
【０１１２】
幾つかの実施態様では第一セルはフェムトセルであり、第二セルはマクロネットワークに含まれている。しかし、様々な実施態様では、ここに記載するシステムおよび方法は、どのような異なる二種類のセルにも採用することができるだけでなく、同じ種類のセルであれば一つのフェムトセルから別のフェムトセルへのように一方のセルから他方のセルへのハンドインに採用することができる。幾つかの実施態様ではフェムトセルに関する遊休状態や別の情報が第一受信機機構で受信される。
【０１１３】
論理的または物理的なグループ１２０２には、ここに記載する一種類以上の機能を実行するためのコードや情報を格納する電気コンポーネント１２１０が含まれている。
【０１１４】
様々な実施態様では受信中にシステムアクセスが引き起こされたり送信機の仲裁が用いられたりする。幾つかの実施態様では第一受信機機構および第二受信機機構はハンドインが行われているユーザ機器の受信機に含まれている。幾つかの実施態様では、マクロネットワークからフェムトセルへのハンドインである。
【０１１５】
方法１０００、１１００、１２００を一つ以上採用すればＵＥは交信状態や稼働状態にあっても緊急警報を受信することができるようになる。限定ではなく一例として方法１０００、１１００、１２００は、ＣＭＡＳトランスポート機構が共通チャネルでＳＭＳを遊休状態の間に一斉通信して緊急警報をＵＥｓに提供する米国の商用移動体警報システム（ＣＭＡＳ）と互換性があるか同システムに類似しているかのいずれかの機能を提供することができる。例えば、ｃｄｍａ  １ｘのシステムではＳＭＳがＣＤＭＡキャリアにより一斉通信され、ＧＳＭやＵＭＴＳのシステムでは３ＧＰＰキャリアによるセルの一斉通信がある。
【０１１６】
ＣＭＡＳでは呼び出しを中断して緊急警報の監視や受信をすることが禁止されているので現在のシステム（例えば、現在のＵＥｓ）は交信していたり稼働していたりする状態では緊急警報を監視したり受信したりすることができない。そのようなものではあるけれどもここに説明する実施態様ではＵＥが交信中や稼働中であるにも拘らず進行中の呼び出しをＵＥで遮ることなく緊急警報を受信すること（しかもこの設計ではシステムのネットワークやＢＳ側には変更など一切不要である）、稼働モードフェムトセルハンドインの最中にマクロネットワークで交信や稼働の状態を中断しないこと、遊休モードフェムトセルハンドインの最中にマクロネットワークで遊休の状態を中断しないことが同時交信−遊休復調により一つ以上可能である。
【０１１７】
ある態様では、論理チャネルが制御チャネルおよび交信チャネルに分類されている。論理制御チャネルには、システム制御情報を一斉通信するためのＤＬチャネルである一斉通信制御チャネル（ＢＣＣＨ：roadcast Control Channel）が含まれている。さらに、論理制御チャネルには、呼び出し情報（paging information）を転送するＤＬチャネルである呼び出し制御チャネル（ＰＣＣＨ：Paging Control Channel）が含まれている。さらに論理制御チャネルには、一本または数本のマルチキャスト トラフィック チャネル（ＭＴＣＨｓ：Multicast Traffic Channels）に関するマルチメディア ブロードキャスト マルチキャスト サービス（ＭＢＭＳ：Multimedia Broadcast and Multicast Service）スケジューリング制御情報を送信するポイント ツー マルチポイントＤＬチャネル（Point-to-multipoint DL channel）であるマルチキャスト制御チャネル（ＭＣＣＨ：Multicast Control Channel）も含まれている。一般に、無線リソース制御（ＲＲＣ：Radio Resource Control）接続の確立後にこのチャネルはＭＢＭＳ（例えば、以前のＭＣＣＨ＋ＭＳＣＨ）を受信するＵＥｓにより用いられるだけである。その上に論理制御チャネルには、ＲＲＣ接続を有するＵＥｓが使用することができて個別制御情報を送信するポイント ツー ポイント双方向チャネルである個別制御チャネル（ＤＣＣＨ：Dedicated Control Channel）が含まれている。ある態様では、論理トラフィック チャネルには、ユーザ情報の送信のために一台のＵＥに割り当てられるポイント ツー ポイント双方向チャネルである個別トラヒックチャネル（ＤＴＣＨ：Dedicated Traffic Channel）が含まれている。また、論理トラフィック チャネルには、トラフィック データを送信するためのポイント ツー マルチポイントＤＬチャネルとしてのＭＴＣＨが含まれている。
【０１１８】
ある態様では、トランスポート チャネルはＤＬおよびＵＬに分類されている。ＤＬトランスポート チャネルには報知チャネル（ＢＣＨ：Broadcast Channel）、下りリンク共通データチャネル（ＤＬ−ＳＤＣＨ：Downlink Shared Data Channel）、呼び出しチャネル（ＰＣＨ：Paging Channel）が含まれている。ＰＣＨは、一個のセル全体に一斉通信をしたり、他の制御またはトラフィックのチャネルが使用することのできる物理層（ＰＨＹ：Physical layer）リソースにマッピングされることによりＵＥ節電をサポートしている（例えば、断続的な受信（ＤＲＸ:Discontinuous Reception）サイクルがネットワークによりＵＥに示される）。ＵＬトランスポート チャネルには、ランダムアクセス チャネル（ＲＡＣＨ：Random Access Channel）、リクエスト チャネル（ＲＥＱＣＨ：Request Channel）、上りリンク共通データ チャネル（ＵＬ−ＳＤＣＨ：Uplink Shared Data Channel）、複数のＰＨＹチャネルが含まれている。
【０１１９】
ＰＨＹチャネルには、ＤＬチャネルとＵＬチャネルのセットが含まれている。例えば、ＤＬのＰＨＹチャネルには以下が含まれている。共通パイロットチャネル(ＣＰＩＣＨ：Common Pilot Channel)、同期チャネル(ＳＣＨ：Synchronization Channel)、共通制御チャネル(ＣＣＣＨ：Common Control Channel)、共通下りリンク制御チャネル(ＳＤＣＣＨ：Shared DL Control Channel)、マルチキャスト制御チャネル(ＭＣＣＨ：Multicast Control Channel)、共通上りリンク割り当てチャネル(ＳＵＡＣＨ：Shared UL Assignment Channel )、確認通知チャネル(ＡＣＫＣＨ：Acknowledgement Channel)、下りリンク物理共通データチャネル(ＤＬ−ＰＳＤＣＨ：DL Physical Shared Data Channel)、上りリンク電力制御チャネル(ＵＰＣＣＨ：UL Power Control Channel)、呼び出し標識チャネル(ＰＩＣＨ：Paging Indicator Channel)、負荷標識チャネル(ＬＩＣＨ：Load Indicator Channel)。さらなる例として、ＵＬ  ＰＨＹチャネルには以下が含まれている。物理ランダム アクセス チャネル(ＰＲＡＣＨ：Physical Random Access Channel )、チャネル品質標識チャネル(ＣＱＩＣＨ：Channel Quality Indicator Channel)、確認通知チャネル(ＡＣＫＣＨ：Acknowledgement Channel)、アンテナ サブセット標識チャネル(ＡＳＩＣＨ：Antenna Subset Indicator Channel)、共通リクエスト チャネル(ＳＲＥＱＣＨ：Shared Request Channel)、上りリンク物理共通データ チャネル(ＵＬ−ＰＳＤＣＨ：UL Physical Shared Data Channel)、広帯域パイロット チャネル(ＢＰＩＣＨ：Broadband Pilot Channel).
ここに記載するどの実施態様もハードウェア、ソフトウェア、ファームウェア、ミドルウェア、マイクロコード、これらの任意の組み合わせのいずれかとして実現することができることを理解されたい。ハードウェアとして実現した場合には、特定用途向け集積回路（ＡＳＩＣｓ：application specific integrated circuits）、デジタル シグナル プロセッサ（ＤＳＰｓ：digital signal processors）、デジタル シグナル処理装置（ＤＳＰＤｓ：digital signal processing devices）、プログラム可能な論理素子（ＰＬＤｓ：programmable logic devices）、書替え可能ゲートアレイ（ＦＰＧＡｓ：field programmable gate arrays）、プロセッサ、コントローラ、マイクロ コントローラ、マイクロ プロセッサ、ここに記載する諸機能を実行するように設計されているその他の電子ユニット、これらの組み合わせの中に懸案の処理ユニットを組み込むことができる。
【０１２０】
ソフトウェア、ファームウェア、ミドルウェア、マイクロコード、プログラムコード、コードセグメントのいずれかとして諸実施態様が実現された場合には、記憶コンポーネントのような、機械が読み取ることのできる媒体（またはコンピュータが読み取ることのできる媒体）に格納される。コードセグメントは、手順、機能、サブプログラム、プログラム、ルーチン、サブルーチン、モジュール、ソフトウェア パッケージ、クラス、任意に組み合わせた諸命令、データ構造、プログラム ステートメントのいずれも表す。コード セグメントは、情報、データ、引き数（arguments）、パラメータ、メモリの内容のいずれかの受け渡しや受信をすることにより別のコードセグメントやハードウェア回路に連結される。情報、引き数、パラメータ、データ、その他は、メモリの共有、メッセージの受け渡し、トークンの受け渡し、ネットワーク送信、その他を含む任意の適切な手段を用いて受け渡しされたり、転送されたり、送信されたりする。
【０１２１】
ソフトウェアとして実現する場合には、ここに記載する諸機能を実行するモジュール（例えば、手順、機能、その他）でここに記載する技術を実現することができる。ソフトウェア コードは、メモリ ユニットに格納されてプロセッサにより実行される。メモリ ユニットは、プロセッサの中に組み込んでも良いし、プロセッサの外部に設けても良い。後者の場合には、この技術分野で公知の様々な手段によりプロセッサに通信可能に接続される。
【０１２２】
以上の説明には一種類以上の実施態様の様々な例が含まれている。前に述べた諸実施態様を説明するために考えることができる限りのすべてのコンポーネントや方法の組み合わせを記述することは言うまでもなく不可能であるが、様々な実施態様相互のさらなる組み合わせや置換が可能であることはこの技術分野で通常の知識を有する者であれば理解することができる。したがって、添付した特許請求の範囲の精神と範囲に属するどのような変更、修正、変化もすべてここに記載した諸実施態様に含まれることが意図されている。さらに、発明の詳細な説明または特許請求の範囲のいずれかに用語「含む（includes）」が用いられている限り、そのような用語は用語「から成る（comprising）」が請求項の移行表現として用いられている場合の用語「から成る（comprising）」の解釈と同じように包含が意図されている。
【図１】
2013530572.tif 000003
【図２】
2013530572.tif 000004
【図３】
2013530572.tif 000005
【図４】
2013530572.tif 000006
【図５】
2013530572.tif 000007
【図６】
2013530572.tif 000008
【図７】
2013530572.tif 000009
【図８】
2013530572.tif 000010
【図９】
2013530572.tif 000011
【図１０】
2013530572.tif 000012
【図１１】
2013530572.tif 000013
【図１２】
2013530572.tif 000014
【国際調査報告】
2013530572.tif 000015